(57)【要約】【課題】  重ね合わせた複数の対象保持トレーをトレー保持部材で洗浄処理を阻害することなく簡単かつ確実に保持できる対象保持機構を提供する。【解決手段】  トレー保持部材３００の一対の側面保持部３０２が、接合された２個の対象保持トレー２００の平行な一対の側面に個々に当接し、表面保持部３０１と裏面保持部３０３とが、接合された２個の対象保持トレー２００の表面と裏面との貫通孔２０３に干渉しない位置に各々当接する。重ね合わされた２個の対象保持トレー２００をトレー保持部材３００の表面保持部３０１と側面保持部３０２と裏面保持部３０３とで保持することができ、その場合でも、トレー保持部材３００が対象保持トレー２００の貫通孔２０３を閉止しないので、洗浄対象を良好に洗浄処理することができる。【選択図】  図１
2005343537.tif 000002
【特許請求の範囲】
【請求項１】
洗浄液で洗浄処理される多数の洗浄対象を保持する対象保持機構であって、
多数の前記洗浄対象を個々に保持する多数の凹部が表面および裏面に形成されているとともに前記洗浄液が流動する多数の貫通孔が表面から裏面まで形成されている矩形の平板状の対象保持トレーと、重ね合わされた複数の前記対象保持トレーを一体に保持するトレー保持部材と、を有しており、
前記トレー保持部材が、接合された複数の前記対象保持トレーの表面の前記貫通孔に干渉しない位置に当接する少なくとも１つの表面保持部と、接合された複数の前記対象保持トレーの平行な一対の側面に個々に当接する一対の側面保持部と、接合された複数の前記対象保持トレーの裏面の前記貫通孔に干渉しない位置に当接する少なくとも１つの裏面保持部と、前記表面保持部と前記側面保持部と前記裏面保持部とを一体に支持している保持部材本体と、を有している対象保持機構。
【請求項２】
前記トレー保持部材は、前記保持部材本体が前記表面保持部と前記裏面保持部との少なくとも一方を前記対象保持トレーを押圧する方向に弾発的に支持している請求項１に記載の対象保持機構。
【請求項３】
前記トレー保持部材と前記対象保持トレーとは、重ね合わされた複数の前記対象保持トレーが前記トレー保持部材で一体に保持された状態で相互にスライド自在な形状に形成されている請求項１または２に記載の対象保持機構。
【請求項４】
前記トレー保持部材は、前記スライドの方向で前記表面保持部と前記側面保持部と前記保持部材本体との少なくとも１つがテーパ状に形成されている請求項３に記載の対象保持機構。
【請求項５】
前記対象保持トレーは、スライド移動する前記トレー保持部材と当接する凸部が形成されている請求項３または４に記載の対象保持機構。
【請求項６】
前記トレー保持部材は、前記スライドの方向と直交する前記対象保持トレーの側面に当接する凸部が形成されている請求項３ないし５の何れか一項に記載の対象保持機構。
【請求項７】
前記トレー保持部材は、接合された複数の前記対象保持トレーを保持した状態で前記洗浄液が表面張力により残留しない形状に形成されている請求項１ないし６の何れか一項に記載の対象保持機構。
【請求項８】
前記トレー保持部材は、保持している複数の前記対象保持トレーの表面と裏面から前記保持部材本体が所定距離まで離反する形状に形成されている請求項７に記載の対象保持機構。
【請求項９】
前記対象保持トレーと前記トレー保持部材とが熱可塑性樹脂で形成されている請求項１ないし８の何れか一項に記載の対象保持機構。
【請求項１０】
洗浄液で洗浄処理される多数の洗浄対象を保持する対象保持機構であって、
多数の前記洗浄対象を個々に保持する多数の凹部が表面および裏面に形成されているとともに前記洗浄液が流動する多数の貫通孔が表面から裏面まで形成されている矩形の平板状の対象保持トレーと、重ね合わされた複数の前記対象保持トレーを一体に保持するトレー保持部材と、を有しており、
前記対象保持トレーと前記トレー保持部材とが熱可塑性樹脂で形成されている対象保持機構。
【請求項１１】
前記熱可塑性樹脂が、ポリエーテルケトン、ポリエーテルイミド、ポリイミド、ポリフェニルサルファイド、ポリエーテルサルフォン、芳香族ポリエステル、ポリブチレンテレフタレート、変性ポリフェニレンエーテル、ポリカーボネート、アクリロニトリル・ブタジエン・スチレン共重合体、ポリスチレン、の少なくとも１つからなる請求項９または１０に記載の対象保持機構。
【請求項１２】
請求項１に記載の対象保持機構のトレー保持部材であって、
接合された複数の前記対象保持トレーの表面の前記貫通孔に干渉しない位置に当接する少なくとも１つの表面保持部と、
接合された複数の前記対象保持トレーの平行な一対の側面に個々に当接する一対の側面保持部と、
接合された複数の前記対象保持トレーの裏面の前記貫通孔に干渉しない位置に当接する少なくとも１つの裏面保持部と、
前記表面保持部と前記側面保持部と前記裏面保持部とを一体に支持している保持部材本体と、
を有しているトレー保持部材。
【請求項１３】
請求項１０に記載の対象保持機構のトレー保持部材であって、
熱可塑性樹脂で形成されているトレー保持部材。
【発明の詳細な説明】
【技術分野】
【０００１】
本発明は、洗浄液で洗浄処理される多数の洗浄対象を保持する対象保持機構に関し、特に、複数の対象保持トレーをトレー保持部材で一体に保持する対象保持機構に関する。
【背景技術】
【０００２】
現在、ＨＤＤ(Hard Disc Drive)の磁気ヘッドなどを洗浄対象として洗浄処理する場合、多数の洗浄対象を対象保持機構で保持することが実行されている。このような対象保持機構は、例えば、一対の対象保持トレーと、トレー保持部材である一対の金属クリップからなり、対象保持トレーで多数の洗浄対象を保持する。
【０００３】
より具体的には、一般的な対象保持トレーは、樹脂などで矩形の平板状に形成されており、多数の洗浄対象を個々に保持する多数の凹部が表面および裏面に形成されている。このため、第１の対象保持トレーの表面の凹部に洗浄対象を装填し、その表面に第２の対象保持トレーを重ね合わせると、第１／第２の対象保持トレーの凹部で洗浄対象が保持されることになる。さらに、対象保持トレーは、洗浄液が流動する多数の貫通孔が表面から裏面まで形成されているので、上述のように一体に重ね合わされた状態でも洗浄液が良好に流動する。
【０００４】
そこで、多数の洗浄対象を保持させた第１／第２の対象保持トレーの両側を一対の金属クリップにより個々に保持し、この全体に洗浄液を流動させれば、多数の洗浄対象が一度に洗浄処理されることになる。なお、上述のような対象保持機構では、洗浄液としては、Ｎメチルピロリドンやイソプロピルアルコールなどが利用されており、金属クリップとしては、市販の目玉クリップなどが使用されている。
【０００５】
現在、上述のような対象保持機構として各種の提案がある(例えば、特許文献１、２参照)。
【特許文献１】特開２０００−１１３４２９号公報
【特許文献２】特開平１０−３１０１２２号公報
【発明の開示】
【発明が解決しようとする課題】
【０００６】
しかし、上述のように複数の対象保持トレーを重ね合わせた状態で、その両側を一対の金属クリップにより個々に保持させることは作業が煩雑である。特に、対象保持トレーを良好に保持させるために、その両側から奥側の位置に金属クリップの先端を位置させると、金属クリップにより対象保持トレーの貫通孔が閉止されて洗浄処理が阻害されることがある。しかし、この問題を防止するために、トレー保持部材で対象保持トレーの縁部近傍のみを保持すると、対象保持トレーからトレー保持部材が脱落しやすくなる。
【０００７】
さらに、上述のような市販の金属クリップの金属成分は、Ｎメチルピロリドンやイソプロピルアルコールなどからなる洗浄液に溶出することがある。前述のように洗浄対象がＨＤＤの磁気ヘッドの場合、洗浄液に金属成分が溶出すると、その金属成分が磁気ヘッドに悪影響を及ぼすことになる。
【０００８】
本発明は上述のような課題に鑑みてなされたものであり、重ね合わせた複数の対象保持トレーをトレー保持部材で洗浄処理を阻害することなく簡単かつ確実に保持することができる対象保持機構、トレー保持部材等が洗浄液に溶出しない対象保持機構、トレー保持部材等の洗浄液に溶出する成分が洗浄対象に悪影響を及ぼさない対象保持機構、の少なくとも１つを提供することを目的とする。
【課題を解決するための手段】
【０００９】
本発明の対象保持機構は、対象保持トレーとトレー保持部材とを有しており、洗浄液で洗浄処理される多数の洗浄対象を保持する。対象保持トレーは、矩形の平板状に形成されており、多数の洗浄対象を個々に保持する多数の凹部が表面および裏面に形成されているとともに、洗浄液が流動する多数の貫通孔が表面から裏面まで形成されている。
【００１０】
本発明の第１の対象保持機構では、トレー保持部材は、重ね合わされた複数の対象保持トレーを一体に保持するため、少なくとも１つの表面保持部、一対の側面保持部、少なくとも１つの裏面保持部、保持部材本体、を有している。表面保持部は、接合された複数の対象保持トレーの表面の貫通孔に干渉しない位置に当接し、一対の側面保持部は、接合された複数の対象保持トレーの平行な一対の側面に個々に当接する。裏面保持部は、接合された複数の対象保持トレーの表面の貫通孔に干渉しない位置に当接し、保持部材本体は、表面保持部と側面保持部と裏面保持部とを一体に支持している。
【００１１】
従って、本発明の対象保持機構では、重ね合わされた複数の対象保持トレーがトレー保持部材の表面保持部と側面保持部と裏面保持部とで保持され、その場合でも、トレー保持部材が対象保持トレーの貫通孔を閉止することはない。
【００１２】
本発明の第２の対象保持機構では、対象保持トレーとトレー保持部材とが熱可塑性樹脂で形成されていることにより、重ね合わされた複数の対象保持トレーをトレー保持部材で保持した状態で洗浄液により洗浄処理しても、洗浄液に溶出する成分が洗浄対象に悪影響を及ぼさない。
【００１３】
なお、本発明で云う各種の構成要素は、かならずしも個々に独立した存在である必要はなく、複数の構成要素が１個の部材として形成されていること、ある構成要素が他の構成要素の一部であること、ある構成要素の一部と他の構成要素の一部とが重複していること、等も可能である。
【発明の効果】
【００１４】
本発明の第１の対象保持機構では、重ね合わされた複数の対象保持トレーがトレー保持部材の表面保持部と側面保持部と裏面保持部とで保持されることにより、重ね合わせた複数の対象保持トレーをトレー保持部材で簡単かつ確実に保持することができ、その場合でも、トレー保持部材が対象保持トレーの貫通孔を閉止しないので、洗浄対象を良好に洗浄処理することができる。
【００１５】
本発明の第２の対象保持機構では、重ね合わされた複数の対象保持トレーをトレー保持部材で保持した状態で洗浄液により洗浄処理したとき、対象保持トレーやトレー保持部材から洗浄液に溶出する成分が洗浄対象に悪影響を及ぼさないので、洗浄対象に悪影響を及ぼすことがない。
【発明を実施するための最良の形態】
【００１６】
［実施の形態の構成］
本発明の実施の一形態を図面を参照して以下に説明する。なお、本実施の形態では、図示するように前後左右上下の方向を規定して説明するが、これは各部の相対関係を簡単に説明するために便宜的に規定したものであり、本発明を実施する場合の製造時や使用時の方向を限定するものではない。
【００１７】
図１および図２に示すように、本実施の形態の対象保持機構１００は、２個の対象保持トレー２００とトレー保持部材３００とを有しており、これらの対象保持トレー２００とトレー保持部材３００とが、熱可塑性樹脂であるポリイミド樹脂により形成されている。
【００１８】
対象保持トレー２００は、例えば、前後方向と左右方向と上下方向とで各々対称な矩形の平板状に形成されており、図３に示すように、多数の洗浄対象を個々に保持する多数の凹部２０１が表面および裏面に形成されているとともに、後述する洗浄液(図示せず)が流動する多数の貫通孔２０２が表面から裏面まで形成されている。
【００１９】
より詳細には、対象保持トレー２００は、前後方向に細長い複数の凹溝２０３が左右方向に配列されて表面および裏面に形成されており、その凹溝２０３の各々に複数の凹部２０１が前後方向に配列されて形成されている。さらに、凹溝２０３の底部には、凹部２０１の前後方向の縁部の位置に貫通孔２０２が形成されているので、この貫通孔２０２により対象保持トレー２００の表面と裏面との凹溝２０３が連結されている。ここでは説明を簡単とするために図示しないが、対象保持トレー２００は、適切に重ね合わされるように、例えば、表面および裏面の所定位置に微小な凹凸が形成されている(図示せず)。
【００２０】
トレー保持部材３００は、図１および図２に示すように、４つの表面保持部３０１、一対の側面保持部３０２、一対の裏面保持部３０３、１個の保持部材本体３１０、を有しており、この保持部材本体３１０に、４つの表面保持部３０１と一対の側面保持部３０２と一対の裏面保持部３０３とが一体に形成されている。
【００２１】
より詳細には、保持部材本体３１０は、重ね合わされた２個の対象保持トレー２００の表面に対向する１つの部材本体上部３１１、重ね合わされた２個の対象保持トレー２００の側面に対向する一対の部材本体側部３１２、重ね合わされた２個の対象保持トレー２００の表面の両側に対向する一対の部材本体下部３１３、からなり、全体的には前後方向と左右方向とで各々対称で下部中央が開口した“Ｃ”状に形成されている。
【００２２】
４つの表面保持部３０１は、接合された複数の対象保持トレー２００の表面の貫通孔２０２に干渉しない位置に当接するように、保持部材本体３１０の部材本体上部３１１の下面の４カ所から下方に当接されている。一対の側面保持部３０２は、接合された複数の対象保持トレー２００の左右の側面に個々に当接するように、保持部材本体３１０の部材本体側部３１２の一部として形成されている。
【００２３】
一対の裏面保持部３０３は、接合された複数の対象保持トレー２００の表面の貫通孔２０２に干渉しない位置に当接するように、保持部材本体３１０の一対の部材本体下部３１３の端部上面から上方に当接されている。なお、本形態のトレー保持部材３００では、対象保持トレー２００の裏面を押圧する方向に裏面保持部３０３を弾発的に支持するため、保持部材本体３１０の部材本体側部３１２と部材本体下部３１３との接合部分が外側に突出した円弧状の弾発部３１４として形成されている。
【００２４】
また、トレー保持部材３００は、接合された２個の対象保持トレー２００を保持した状態で、洗浄液が表面張力により残留しない形状に形成されており、具体的には、保持部材本体３１０から表面保持部３０１と裏面保持部３０３とが約５(mm)ほど突出することにより、対象保持トレー２００の表面および裏面から保持部材本体３１０が５(mm)は離反する形状に形成されている。
【００２５】
［実施の形態の作用］
上述のような構成において、本形態の対象保持機構１００は、例えば、洗浄対象であるＨＤＤの磁気ヘッドを、Ｎメチルピロリドンやイソプロピルアルコールなどの洗浄液で洗浄処理するために利用される。その場合、図１に示すように、第１の対象保持トレー２００の表面の多数の凹部２０１の各々に磁気ヘッドを配置し、そこに第２の対象保持トレー２００を上方から重ね合わせる。
【００２６】
これで第１の対象保持トレー２００の表面の凹部２０１と第２の対象保持トレー２００の裏面の凹部２０１とで磁気ヘッドが保持されるので、このように重ね合わされた２個の対象保持トレー２００をトレー保持部材３００に保持させる。その場合、対象保持トレー２００とトレー保持部材３００とは、前後方向で外形の断面形状が変化しない形状に形成されているので、重ね合わされた２個の対象保持トレー２００に対してトレー保持部材３００を前方や後方からスライド移動させて装着することができる。
【００２７】
このように重ね合わされた２個の対象保持トレー２００にトレー保持部材３００を装着すると、トレー保持部材３００の表面保持部３０１と裏面保持部３０３とにより、接合された２個の対象保持トレー２００が上下方向から保持される。このとき、トレー保持部材３００の一対の側面保持部３０２が、接合された２個の対象保持トレー２００の左右の側面に個々に当接するので、対象保持トレー２００に対する表面保持部３０１と裏面保持部３０３との位置が左右方向で規定される。
【００２８】
このため、図２に示すように、トレー保持部材３００の表面保持部３０１は、接合された２個の対象保持トレー２００の表面の貫通孔２０２に干渉しない位置に当接し、裏面保持部３０３は、接合された２個の対象保持トレー２００の表面の貫通孔２０２に干渉しない位置に当接する。
【００２９】
上述のように磁気ヘッドを保持した対象保持機構１００を洗浄液で洗浄処理すると、その洗浄液が対象保持トレー２００の凹溝２０３と貫通孔２０２とを流動するので、凹部２０１に保持されている磁気ヘッドが洗浄液で洗浄処理されることになる。
【００３０】
［実施の形態の効果］
本形態の対象保持機構１００では、重ね合わされた２個の対象保持トレー２００をトレー保持部材３００の表面保持部３０１と側面保持部３０２と裏面保持部３０３とで保持するので、重ね合わせた複数の対象保持トレー２００をトレー保持部材３００で簡単かつ確実に保持することができる。
【００３１】
特に、対象保持トレー２００とトレー保持部材３００とは、相互に前後方向にスライド自在な形状に形成されているので、重ね合わされた２個の対象保持トレー２００に前方や後方から簡単にトレー保持部材３００を装着することができる。しかも、保持部材本体３１０により裏面保持部３０３が弾発的に支持されているので、重ね合わされた２個の対象保持トレー２００をトレー保持部材３００により弾発的に良好に保持することができる。
【００３２】
また、本形態の対象保持機構１００では、上述のように重ね合わされた２個の対象保持トレー２００をトレー保持部材３００により良好に保持できるが、それでいて、洗浄液を流動させるために対象保持トレー２００の表面から裏面まで形成されている貫通孔を、トレー保持部材３００の表面保持部３０１や裏面保持部３０３が閉止することがないので、洗浄対象である磁気ヘッドを洗浄液で良好に洗浄処理することができる。
【００３３】
しかも、トレー保持部材３００は、接合された２個の対象保持トレー２００を保持した状態で洗浄液が表面張力により残留しない形状に形成されているので、対象保持トレー２００とトレー保持部材３００との間隙に洗浄液が残留することがなく、磁気ヘッドを良好に洗浄処理することができる。
【００３４】
さらに、本形態の対象保持機構１００では、対象保持トレー２００とトレー保持部材３００とがポリイミド樹脂で形成されているので、当然ながら洗浄液に溶出する成分は樹脂成分のみである。このため、洗浄液に金属成分が溶出することがないので、洗浄対象であるＨＤＤの磁気ヘッドに悪影響を及ぼすことがない。
【００３５】
［実施の形態の変形例］
本発明は本実施の形態に限定されるものではなく、その要旨を逸脱しない範囲で各種の変形を許容する。例えば、上記形態ではトレー保持部材３００に４つの表面保持部３０１と２つの裏面保持部３０３とが形成されていることを例示したが、これらの個数は各種に変更可能である。
【００３６】
また、上記形態では重ね合わせた２個の対象保持トレー２００を１個のトレー保持部材３００で保持することを例示したが、このような個数も実際に変更することが可能である。例えば、重ね合わせた３個以上の対象保持トレー２００を１個のトレー保持部材３００で保持すること、重ね合わせた２個の対象保持トレー２００を複数のトレー保持部材３００で保持すること、重ね合わせた３個以上の対象保持トレー２００を複数のトレー保持部材３００で保持すること、等も可能である。
【００３７】
さらに、上記形態ではトレー保持部材３００の断面形状が前後方向で変化しないことを例示したが、例えば、その表面保持部３０１や側面保持部３０２や保持部材本体３１０の端面を前後方向でテーパ状に形成しておくことにより(図示せず)、重ね合わせた対象保持トレー２００へのトレー保持部材３００の装着を容易とすることも可能である。
【００３８】
また、上記形態ではトレー保持部材３００は下部が開口した開構造に形成されていることを例示したが、例えば、図４に示すように、下部が閉止されている閉構造のトレー保持部材３２０なども可能である。この場合、トレー保持部材３２０の強度が向上するので、より強固に対象保持トレー２００を保持することができる。ただし、対象保持トレー２００への着脱は、前述の開構造のトレー保持部材３００の方が容易なので、上記２例は一長一短があり、実施する場合には各種条件を考慮して良好な一方を選択することが好適である。
【００３９】
さらに、上記形態では対象保持トレー２００とトレー保持部材３００とが相互にスライド自在であることを例示したが、図５に示すように、そのスライド方向と直交する対象保持トレー２００の前面や後面に当接する凸部３３１をトレー保持部材３３０に形成しておくことも可能であり、図６に示すように、スライド移動するトレー保持部材３００と当接する凸部２１１を対象保持トレー２１０に形成しておくことも可能である。
【００４０】
これらの場合、対象保持トレー２００，２１０に対して装着されるトレー保持部材３３０，３００の位置を前後方向で規定することができるので、より適切な位置で対象保持トレー２００，２１０をトレー保持部材３３０，３００に保持させることが可能である。
【００４１】
なお、上述のように対象保持トレー２１０の表面や裏面に凸部２１１を形成する場合、その凸部２１１が係合する凹部２１２も対象保持トレー２１０の裏面や表面に形成しておくことが好適である。この場合、対象保持トレー２１０を良好に重ね合わせることができ、重ね合わせた対象保持トレー２１０を前後左右に保持することができる。
【００４２】
また、上記形態ではトレー保持部材３００が構造的に前後方向には展開されていないことを例示したが、例えば、図７に示すように、前後方向に配列したトレー保持部材３００を連結したような構造のトレー保持部材３４０を形成することにより、対象保持トレー２００を立体的に保持することも可能である。
【００４３】
さらに、上記形態では説明を簡単とするため、トレー保持部材３００の保持部材本体３１０の各部の肉厚が均一であることを想定したが、例えば、その部材本体上部３１１と部材本体側部３１２とに対して弾発部３１４と部材本体下部３１３のみ薄肉に形成することにより、表面保持部３０１と側面保持部３０２との位置精度を良好に維持しながら裏面保持部３０３の弾発性を向上させるようなことも可能である。
【００４４】
また、上記形態では対象保持トレー２００とトレー保持部材３００とが、洗浄液に溶出する成分が洗浄対象である磁気ヘッドに悪影響を及ぼさない材質として、ポリイミドからなることを例示したが、その材質が、ポリエーテルケトン、ポリエーテルイミド、ポリフェニルサルファイド、ポリエーテルサルフォン、芳香族ポリエステル、ポリブチレンテレフタレート、変性ポリフェニレンエーテル、ポリカーボネート、アクリロニトリル・ブタジエン・スチレン共重合体、ポリスチレン、等からなることも可能である。
【００４５】
さらに、上記形態では洗浄液に溶出する成分が洗浄対象である磁気ヘッドに悪影響を及ぼさないため、対象保持トレー２００とトレー保持部材３００とがポリイミドからなることを例示したが、例えば、化学的に洗浄液に溶出しない材質で対象保持トレー２００とトレー保持部材３００とを形成することも可能である。
【図面の簡単な説明】
【００４６】
【図１】本発明の実施の形態の対象保持機構の構造を示す分解斜視図である。
【図２】対象保持機構の外観を示す斜視図である。
【図３】対象保持トレーの凹部および貫通孔の構造を示す平面図および縦断側面図である。
【図４】トレー保持機構の一変形例を示す斜視図である。
【図５】トレー保持機構の他の変形例を示す斜視図である。
【図６】対象保持トレーの一変形例を示す斜視図である。
【図７】トレー保持機構の更に他の変形例を示す斜視図である。
【符号の説明】
【００４７】
１００    対象保持機構
２００，２１０    対象保持トレー
２０１    凹部
２０２    貫通孔
２１１    凸部
３００，３２０，３３０，３４０    トレー保持部材
３０１    表面保持部
３０２    側面保持部
３０３    裏面保持部
３１０    保持部材本体
３３１    凸部
【図１】
2005343537.tif 000003
【図２】
2005343537.tif 000004
【図３】
2005343537.tif 000005
【図４】
2005343537.tif 000006
【図５】
2005343537.tif 000007
【図６】
2005343537.tif 000008
【図７】
2005343537.tif 000009